(57)【特許請求の範囲】
【請求項１】
光ビームを記録媒体に照射することにより記録情報を読み出す記録再生装置に用いられ、光ビームの再生パワーを制御する再生パワー制御装置であって、
光ビームを照射することにより記録媒体から得られる上記記録情報に対応した再生信号を、所定の周波数特性に適応的に等化する適応等化手段と、
上記所定の周波数特性に適応的に等化する際に、該所定の周波数特性となるように更新される等化量に基づいて、現在の再生パワーと最適再生パワーとの誤差を検出し、該誤差が０に近づくように光ビームの再生パワーを制御する再生パワー制御手段とを備えていることを特徴とする再生パワー制御装置。
【請求項２】
上記適応等化手段は、ＬＭＳアルゴリズムを用いたＦＩＲフィルタであり、等化係数を出力することを特徴とする請求項１に記載の再生パワー制御装置。
【請求項３】
上記再生パワー制御手段は、上記等化係数から上記等化量を算出する算出手段を備えていることを特徴とする請求項２に記載の再生パワー制御装置。
【請求項４】
光ビームを記録媒体に照射することにより記録情報を読み出す記録再生装置に用いられ、光ビームの再生パワーを制御する再生パワー制御装置であって、
光ビームを照射することにより記録媒体から得られる上記記録情報に対応した再生信号を等化し、該等化結果の周波数特性と所定の周波数特性との誤差を、上記再生信号を所定の周波数特性に適応的に等化するために必要となる等化制御量に基づいて検出する等化手段と、
上記誤差に基づいて、現在の再生パワーと最適再生パワーとの誤差を検出し、該誤差が０に近づくように光ビームの再生パワーを制御する再生パワー制御手段とを備えていることを特徴とする再生パワー制御装置。
【請求項５】
上記等化手段は、固定タップ係数を有するＦＩＲフィルタであり、かつ、ＬＭＳアルゴリズムを用いて各等化係数の更新量を演算することにより上記誤差を検出することを特徴とする請求項４に記載の再生パワー制御装置。
【請求項６】
上記再生パワー制御手段は、上記等化係数の更新量から等化量を算出する等化量算出手段を備えていることを特徴とする請求項５に記載の再生パワー制御装置。
【請求項７】
光ビームを記録媒体に照射して得られる再生信号を適応等化する際に用いられ、かつ、適応等化によって更新される等化係数から等化量を算出する等化量算出処理と、
該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有することを特徴とする再生パワー制御方法。
【請求項８】
光ビームを記録媒体に照射して得られる再生信号を等化する際に用いる所定の係数に基づいて、ＬＭＳアルゴリズムを用いて等化係数の更新量を演算する更新量演算処理と、
該等化係数の更新量から等化量を算出する等化量算出処理と、
該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有することを特徴とする再生パワー制御方法。
【請求項９】
光源と請求項１ないし６のいずれか１項に記載の再生パワー制御装置とを備え、該再生パワー制御装置を用いて光源から記録媒体に出射された光ビームの再生パワーを制御しながら、記録媒体に記録された情報を再生することを特徴とする記録再生装置。
【請求項１０】
光ビームを記録媒体に照射することにより記録情報を読み出す記録再生装置に用いられ、光ビームの再生パワーを制御する再生パワー制御装置であって、
ＬＭＳアルゴリズムを用いたＦＩＲフィルタであり、等化係数を出力し、かつ、光ビームを照射することにより記録媒体から得られる上記記録情報に対応した再生信号を、所定の周波数特性に等化する適応等化手段と、
上記等化の際の等化量に基づいて、現在の再生パワーと最適再生パワーとの誤差を検出し、該誤差が０に近づくように光ビームの再生パワーを制御する再生パワー制御手段とを備えていることを特徴とする再生パワー制御装置。
【発明の詳細な説明】
【０００１】
【発明の属する技術分野】
本発明は、記録媒体に光ビームを照射することにより記録マークを再生する際、光ビームのパワーを最適に制御する再生パワー制御方法および再生パワー制御装置並びにそれを備えた記録再生装置に関するものである。
【０００２】
【従来の技術】
近年、光磁気ディスクでは、記録するデータの高密度化を図るために、光ビームのスポット径よりも小さい記録マークを再生する方法が提案されている。
【０００３】
その一つの方法として、例えば、特開平５−８１７１７号公報には、いわゆる超解像光磁気ディスクとその記録方法が記載されている。その記録方法としては、記録層と面内磁化を有する再生層とを備えた光磁気記録媒体に対して再生層側から光ビームを照射する。このとき、光ビームの照射領域内の再生層の温度が上昇する。この結果、該照射領域内で所定の温度以上に上昇する部分、即ち検出口（アパーチャ）のみの再生層が、内面磁化により、対応する記録層の磁性を転写した垂直磁化に移行する。これにより、光ビームのスポット径よりも小さい記録マークを再生することができる。
【０００４】
しかしながら、光ビームの最適再生パワー（データの再生に十分な再生信号の出力が得られるとともに、できるだけ混入（雑音）信号を小さくする範囲に検出口の大きさが保たれるように制御された光ビームの再生パワー）は、周囲温度の変化などに応じて変動する。従って、再生時に光ビームの再生パワーを一定に保っていたとしても、再生されるデータの信頼性が低下することがある。
【０００５】
即ち、最適再生パワーと比較して現在の再生パワーが大きい場合、記録マークよりも検出口が大きくなるため、隣接するトラックの記録マークが検出口に現れて、隣接ビット同士で干渉が発生する。即ち、隣接するトラックからの再生信号（混入信号）の出力が増大し、互いに干渉しあう、即ち、再生波形が重なり合うこととなる。これにより、高域の振幅が小さくなり、Ｓ／Ｎ比が悪化するため、読み取りエラーが発生する確率が高くなる。
【０００６】
一方、最適再生パワーと比較して現在の再生パワーが小さい場合、検出口が小さくなる。このとき、低域の振幅に対する高域の振幅の比は大きくなるものの、光ビーム中心部の一部のみで検出するのと同じこととなり、反射光の中に含まれる信号の割合が小さくなるため、全体的に振幅が小さくなる。これにより、読み取ろうとしているトラックからの再生信号の出力も小さくなる。従って、Ｓ／Ｎ比が悪化し、読み取りエラーが発生する確率が高くなる。
【０００７】
そこで、長さの異なる複数の記録マークを用いることにより、最適再生パワーを維持することができる記録再生装置が、特開平８−６３８１７号公報に記載されている。該記録再生装置では、長さの異なる複数の記録マークからの各読み出し信号の信号レベルをそれぞれ検出し、各記録マークに対応する検出信号の信号レベルの比較結果に基づいて光ビームの再生パワーを制御する。
【０００８】
【発明が解決しようとする課題】
しかしながら、特開平８−６３８１７号公報に記載の記録再生装置では、記録媒体上に、記録データとは別に、長さの異なるパターンを何組か記録する領域を設けなければならない。このため、ユーザが情報の記録・再生を行う領域（ユーザ領域）がその分減少する。
【０００９】
本発明は、上記従来の問題点に鑑みてなされたものであり、その目的は、記録媒体上のユーザ領域を減少させることなく、再生パワー制御を行うことができる再生パワー制御方法および再生パワー制御装置並びにそれを備えた記録再生装置を提供することにある。
【００１０】
【課題を解決するための手段】
本発明の再生パワー制御装置は、上記の課題を解決するために、光ビームを記録媒体に照射することにより記録情報を読み出す記録再生装置に用いられ、光ビームの再生パワーを制御する再生パワー制御装置であって、光ビームを照射することにより記録媒体から得られる上記記録情報に対応した再生信号を、所定の周波数特性に適応的に等化する適応等化手段と、上記所定の周波数特性に適応的に等化する際に、該所定の周波数特性となるように更新される等化量に基づいて、現在の再生パワーと最適再生パワーとの誤差を検出し、該誤差が０に近づくように光ビームの再生パワーを制御する再生パワー制御手段とを備えていることを特徴としている。
【００１１】
ここで、最適再生パワーとは、記録情報の再生に十分な再生信号の出力が得られるとともに、できるだけ混入（雑音）信号を小さくする範囲に検出口の大きさが保たれるように制御された光ビームの再生パワーのことをいう。
【００１２】
また、等化量とは、再生信号の周波数特性における所望の周波数特性からのずれをいう。
【００１３】
上記の構成によれば、適応等化手段を用いて再生信号を所定の周波数特性に等化し、そのときの等化量を制御することにより、光ビームの再生パワーを制御することができる。
【００１４】
従って、例えば、記録媒体上に、長マークや短マークなど、再生パワー制御のためのマークを記録した特別な領域を設けなくてもよい。これにより、記憶媒体上のユーザ領域（ユーザが情報の記録・再生を行う領域）を減少させることなく、再生パワー制御を行うことができる。
【００１５】
上記の再生パワー制御装置は、適応等化手段が、ＬＭＳアルゴリズムを用いたＦＩＲフィルタであり、等化係数を出力することが好ましい。
【００１６】
上記の構成によれば、ＬＭＳアルゴリズムを用いることにより、現在の再生パワーで所望のインパルス応答（孤立した１ビットのデータを再生したときの、サンプリングクロック毎のデジタルの再生信号であり、周波数特性を表すもの）が得られるように等化係数を随時更新することができる。従って、この更新された等化係数を用いて、逐次再生パワーの制御を行うことができる。これにより、最適に再生パワーの制御を制御することができる。
【００１７】
上記の再生パワー制御装置は、再生パワー制御手段が、等化係数から等化量を算出する算出手段を備えていることが好ましい。
【００１８】
上記の構成によれば、例えば、算出された等化量と、予め設定された所定の値（最適等化量）とを比較することにより、現在の再生パワーと最適再生パワーとの誤差を検出することができる。ここで、最適等化量とは、最適な再生パワーにおける最適な等化量を予め実測したものである。
【００１９】
従って、等化量が常に最適等化量と等しくなるように光ビームのパワーを制御することができ、これにより、適切に再生パワーを制御することができる。
【００２０】
また、適応等化手段から出力される等化係数から等化量を算出することにより、少ないハード量で等化量をハードウェア実装することができる。
【００２１】
本発明の再生パワー制御装置は、上記の課題を解決するために、光ビームを記録媒体に照射することにより記録情報を読み出す記録再生装置に用いられ、光ビームの再生パワーを制御する再生パワー制御装置であって、光ビームを照射することにより記録媒体から得られる上記記録情報に対応した再生信号を等化し、該等化結果の周波数特性と所定の周波数特性との誤差を、上記再生信号を所定の周波数特性に適応的に等化するために必要となる等化制御量に基づいて検出する等化手段と、上記誤差に基づいて、現在の再生パワーと最適再生パワーとの誤差を検出し、該誤差が０に近づくように光ビームの再生パワーを制御する再生パワー制御手段とを備えていることを特徴としている。
【００２２】
上記の構成によれば、等化手段を用いて再生信号を等化し、該等化結果の周波数特性と所定の周波数特性（等化量初期値）との誤差（等化係数更新データ）を検出することにより、その誤差に基づいて光ビームの再生パワーを制御することができる。即ち、所定の等化量初期値で、所望のインパルス応答が得られるように光ビームのパワーを制御することができる。この結果、適切に再生パワーを制御することができる。
【００２３】
従って、例えば、記録媒体上に、長マークや短マークなど、再生パワー制御のためのマークを記録した特別な領域を設けなくても再生パワーの制御を行うことができる。これにより、記憶媒体上のユーザ領域（ユーザが情報の記録・再生を行う領域）を減少させることなく、再生パワー制御を行うことができる。
【００２４】
上記の再生パワー制御装置は、等化手段が、固定タップ係数を有するＦＩＲフィルタであり、かつ、ＬＭＳアルゴリズムを用いて各等化係数の更新量を演算することにより誤差を検出することが好ましい。
【００２５】
上記の構成によれば、固定タップ係数を有するＦＩＲフィルタであることにより、所定の等化係数を用いて上記誤差を検出する。従って、等化係数そのものは更新しないで、演算した等化係数の更新量を用いて再生パワーの制御を行うことができる。
【００２６】
上記の再生パワー制御装置は、再生パワー制御手段が、等化係数の更新量から等化量を算出する等化量算出手段を備えていることが好ましい。
【００２７】
上記の構成によれば、例えば、算出された等化量と、予め設定された所定の値（最適等化量）とを比較することにより、現在の再生パワーと最適再生パワーとの誤差を検出することができる。
【００２８】
従って、等化量が常に最適等化量と等しくなるように光ビームのパワーを制御することができ、これにより、適切に再生パワーを制御することができる。
【００２９】
また、等化手段で演算される等化係数の更新量から等化量を算出することにより、少ないハード量で等化量をハードウェア実装することができる。
【００３０】
本発明の再生パワー制御方法は、光ビームを記録媒体に照射して得られる再生信号を適応等化する際に用いられ、かつ、適応等化によって更新される等化係数から等化量を算出する等化量算出処理と、該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有することを特徴としている。
【００３１】
上記の方法によれば、等化量を算出し、その等化量に基づいて駆動電流を制御することにより、光ビームの再生パワーを制御することができる。従って、記憶媒体上のユーザ領域（ユーザが情報の記録・再生を行う領域）を減少させることなく、再生パワー制御を行うことができる。
【００３２】
本発明の再生パワー制御方法は、光ビームを記録媒体に照射して得られる再生信号を等化する際に用いる所定の係数に基づいて、ＬＭＳアルゴリズムを用いて等化係数の更新量を演算する更新量演算処理と、該等化係数の更新量から等化量を算出する等化量算出処理と、該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有することを特徴としている。
【００３３】
上記の方法によれば、所定の係数を用いて演算された等化係数の更新量に基づいて等化量を算出し、最適等化量と比較することによって、光ビームの再生パワーを制御することができる。従って、記憶媒体上のユーザ領域（ユーザが情報の記録・再生を行う領域）を減少させることなく、再生パワー制御を行うことができる。
【００３４】
本発明の記録再生装置は、光源と上記記載の再生パワー制御装置とを備え、該再生パワー制御装置を用いて光源から記録媒体に出射された光ビームの再生パワーを制御しながら、記録媒体に記録された情報を再生することを特徴としている。
【００３５】
上記の構成によれば、最適に再生パワーを制御することができる再生パワー制御装置を備えることができ、従って、再生されるデータの信頼性が高い記録再生装置を提供することができる。
【００３６】
【発明の実施の形態】
〔実施の形態１〕
本発明の実施の一形態について図１ないし図３に基づいて説明すれば、以下の通りである。
【００３７】
図１は、記録再生装置の要部の構成を示すブロック図である。本実施の形態に係る記録再生装置は、図１に示すように、スピンドルモータ２、光ピックアップ装置３、前処理回路４、クロック生成部５、Ａ／Ｄ変換器８、適応等化器（適応等化手段）９、再生パワー制御部（再生パワー制御手段）１０およびビタビ復号器１１を備えており、ディスク１に対して情報を記録・再生する。
【００３８】
ディスク１は、光磁気ディスク（記録媒体）であり、再生層と記録層とを有する。また、ディスク１は、スピンドルモータ２により回転する。なお、ディスク１は、光学ディスクであればよく、例えば、光ディスクや光磁気ディスクなど、その種類は限定されるものではない。
【００３９】
光ピックアップ装置３は、図示しない光源である半導体レーザを有し、回転しているディスク１にレーザビーム（光ビーム）を出射する。ディスク１の再生層にレーザビームを照射して温度を上昇させると、レーザビーム照射領域内において所定の温度に上昇した再生層が、その下部に位置する記録層の記録マークの情報を受け取る。即ち、記録層の磁化方向が再生層に転写されることにより、記録マークに記録された情報の再生が行われる。以下、レーザビーム照射領域内で所定の温度以上に上昇する部分を検出口と称する。なお、半導体レーザから出射されるレーザビームの波長は特に限定されるものではない。
【００４０】
また、光ピックアップ装置３はディスク１から反射されたレーザビームを受光する受光素子を有し、該受光したレーザビームを電気信号に変換する。
【００４１】
前処理回路４は、図示しないプリアンプやローパスフィルタなどから構成されており、光ピックアップ装置３において変換された電気信号に対して、増幅および高域ノイズの除去を行う。
【００４２】
Ａ／Ｄ変換器８は、前処理回路４からの出力（以下、アナログ再生信号と称する）を量子化して適応等化器９に出力する。ここで、この量子化のタイミングは、クロック生成部５により生成されたサンプリングクロックを用いる。
【００４３】
クロック生成部５は、コンパレータ６とＰＬＬ回路７とにより構成される。コンパレータ６は、アナログ再生信号を所定電圧と比較し、この所定電圧に対してハイレベルかローレベルかの２値のデジタル信号に変換する。ＰＬＬ回路７は、コンパレータ６において変換されたデジタル信号に同期したサンプリングクロックを生成してＡ／Ｄ変換器８に出力する。
【００４４】
また、Ａ／Ｄ変換器８からの出力（以下、デジタル再生信号（再生信号）と称する）は、適応等化器９に入力され適応等化される。等化されたデジタル再生信号（以下、等化後再生信号と称する）はビタビ復号器１１へ、適応等化器９における等化係数は再生パワー制御部１０へと出力される。
【００４５】
適応等化器９と再生パワー制御部１０とにより、再生パワー制御装置は構成される。
【００４６】
適応等化器９では、ビタビ復号器１１への出力（等化後再生信号）が所望のインパルス応答となるように、随時等化係数が更新される。ここで、インパルス応答とは、孤立した１ビットのデータを再生したときの、サンプリングクロック毎のデジタルの再生信号であり、周波数特性を表している。適応等化器９については、後に詳述する。
【００４７】
適応等化器９から出力された等化後再生信号は、ビタビ復号器１１において、２値のデータに復号され、復号データとして出力される。
【００４８】
再生パワー制御部１０では、入力された現在の等化係数に基づいて等化量を算出し（等化量算出処理）、その現在の等化量と、予め設定された所定の等化量（最適等化量）とを比較し、その比較結果（誤差）に基づいて半導体レーザ駆動電流を制御（再生パワー変更処理）する。
【００４９】
これにより、現在の再生パワーを最適再生パワー（データの再生に十分な再生信号の出力が得られるとともに、できるだけ混入（雑音）信号を小さくする範囲に検出口の大きさが保たれるように制御されたレーザビームの再生パワー）に近づけるように、再生パワーの制御を行うことができる。再生パワー制御部の具体的な構成については、後に詳述する。
【００５０】
なお、等化量とは、デジタル再生信号をどの程度等化すれば、所望のインパルス応答をもった等化後再生信号になるか（再生信号の周波数特性が所望の周波数特性とどの程度ずれているか）、即ち、適応等化器９の直流ゲインと高域（クロック周波数の１／２）ゲインとの比を示すものである。
【００５１】
また、最適等化量とは、最適な再生パワーにおける最適な等化量を予め実測したものである。例えば、実験などで最適再生パワーを求め、その最適再生パワーにおいて、再生エラーレートなどを指標にして求めた等化量を最適等化量とする。
【００５２】
以上のように、レーザビームを照射することによりディスク１から得られるデジタル再生信号を、所定の周波数特性に等化する適応等化器９と、等化の際の等化量に基づいて、現在の再生パワーと最適再生パワーとの誤差を検出し、誤差が０に近づくようにレーザビームの再生パワーを制御する再生パワー制御部１０とを備えている。
【００５３】
これにより、例えば、ディスク１上に、長マークや短マークなど、再生パワー制御のためのマークを記録した特別な領域を設けなくてもよい。従って、ディスク１上のユーザ領域（ユーザが情報の記録・再生を行う領域）を減少させることなく、再生パワー制御を行うことができる。
【００５４】
以下、適応等化器９の構成について、図２に基づいて説明する。
【００５５】
同図に示すように、適応等化器９は、レジスタ２１、乗算器２２、加算器２３、減算器２４、係数レジスタ２５、目標インパルス応答フィルタ（ＦＩＲフィルタ）２６、更新ゲイン乗算器２７、係数更新乗算器２８および係数更新加算器２９が接続されて構成されるＬＭＳ（Least Mean Square ）アルゴリズムを用いたＦＩＲ（Finite Impulse Response ）型適応等化器である。
【００５６】
また、適応等化器９は、常に等化後再生信号が所望のインパルス応答を有する信号になるように等化量（等化係数）を制御する。
【００５７】
ここで、当初、係数レジスタ２５には、最適等化量を実現するための係数が設定（入力）されている。
【００５８】
Ａ／Ｄ変換８から出力されたデジタル再生信号は、まず、レジスタ２１…からなるシフトレジスタに入力される。
【００５９】
シフトレジスタの各タップ出力は、乗算器２２において係数レジスタ２５の係数と乗算される。
【００６０】
そして、このタップ出力と係数レジスタ２５の係数との乗算結果は、加算器２３においてすべて加算され、等化後再生信号としてビタビ復号器１１（図１参照）に出力される。
【００６１】
また、ビタビ復号器１１において、復号された２値の復号データ（ビタビ復号器出力）は、目標インパルス応答フィルタ２６に入力される。ここで、目標インパルス応答フィルタ２６とは、所望の（目標となる）インパルス応答、即ち、最適等化量を実測した際の等化後再生信号のインパルス応答（最適等化係数）が係数としてセットされたＦＩＲフィルタである。
【００６２】
従って、２値の復号データを目標インパルス応答フィルタ２６に入力すれば、目標インパルス応答フィルタ２６は、所望のインパルス応答を有する等化後再生信号と等価な信号を出力することとなる。
【００６３】
目標インパルス応答フィルタ２６からの出力は、減算器２４において加算器２３から出力された等化後再生信号から減算され、等化誤差として出力される。
【００６４】
ここで、このときの（現在の）周囲温度や記録再生装置の状態が最適等化量を実測したときと全く同じであれば、等化後再生信号と目標インパルス応答フィルタ２６の出力とは同じになり、減算器２４の出力する等化誤差は０となる。
【００６５】
しかしながら、周囲温度や記録再生装置の状態が最適等化量を実測したときと全く同じであることはまれである。また、周囲温度の変化によりディスク１上の検出口の大きさが変化すると、再生信号のインパルス応答（周波数特性）が変わることとなる。このような場合、最適等化係数を用いて等化した結果は、所望の（目標となる）インパルス応答とは異なることとなり、等化誤差は０とならない。
【００６６】
等化誤差は、更新ゲイン乗算器２７において係数更新ゲインαと乗算される。この乗算結果は、係数更新乗算器２８に入力されシフトレジスタのタップ出力と乗算され、係数更新加算器２９に入力される。
【００６７】
係数更新加算器２９において、係数更新乗算器２８の出力は、係数レジスタ２５の値に加算され、この加算結果は係数レジスタ２５に格納される。即ち、係数レジスタ２５は、係数の更新値（加算結果）を新たに保持するとともに、等化量データ（等化係数）として再生パワー制御部１０に出力する。この工程を繰り返すことにより、最も好ましい等化量（最適等化量）を形成するための係数（最適等化係数）を得ることができる。
【００６８】
ここで、具体的に、適応等化器９を３タップの等化回路として、等化係数の更新について説明する。
【００６９】
シフトレジスタの各タップ出力を、Ｘ0 （ｋ），Ｘ1 （ｋ），Ｘ2 （ｋ）とし、乗算器２２においてこれらの各タップ出力に乗算される係数レジスタ２５の係数を、各々Ｃ0 （ｋ），Ｃ1 （ｋ），Ｃ2 （ｋ）とする。ここでｋとは、係数レジスタ２５において、係数がｋ回更新されたことを示す。即ち、例えば、当初入力されていた係数の初期値はＣ0 （０）であり、その係数Ｃ0 （０）がｎ回更新されれば、その係数はＣ0 （ｎ）となる。
【００７０】
このとき、各乗算器２２…において、それぞれＸ0 （ｋ）・Ｃ0 （ｋ），Ｘ1
（ｋ）・Ｃ1 （ｋ），Ｘ2 （ｋ）・Ｃ2 （ｋ）を出力する。
【００７１】
そして、加算器２３では、Ｘ0 （ｋ）・Ｃ0 （ｋ）＋Ｘ1 （ｋ）・Ｃ1 （ｋ）＋Ｘ2 （ｋ）・Ｃ2 （ｋ）が行われ、減算器２４においては、この値から、目標インパルス応答フィルタ２６からの出力（最適等化係数）が減算され、等化誤差ｅ（ｋ）として出力される。
【００７２】
等化誤差ｅ（ｋ）は、更新ゲイン乗算器２７において係数更新ゲインαと乗算され、更新ゲイン乗算器２７からはα・ｅ（ｋ）が出力される。例えば、タップ出力Ｘ0 （ｋ）が入力される係数更新乗算器２８に入力されたα・ｅ（ｋ）はタップ出力Ｘ0 （ｋ）と乗算され、係数更新加算器２９において、係数Ｃ0 （ｋ）に加算され、係数Ｃ0 （ｋ＋１）として係数レジスタ２５に格納される。
【００７３】
こうして、係数レジスタ２５の係数、即ち等化係数の更新は行われ、等化係数は、最適等化係数に近づくこととなる。
【００７４】
なお、適応等化器９は３タップの等化回路として説明したが、タップ数はこれに限定されるものではない。
【００７５】
以上のように、適応等化器９が、ＬＭＳアルゴリズムを用いたＦＩＲフィルタであり、等化係数を出力することにより、ＬＭＳアルゴリズムを用いて現在の再生パワーで所望のインパルス応答が得られるように等化係数を随時更新することができる。従って、この更新された等化係数を用いて、逐次再生パワーの制御を行うことができる。これにより、最適に再生パワーの制御を制御することができる。
【００７６】
次に、再生パワー制御部１０の構成について、図３に基づいて説明する。
【００７７】
同図に示すように、再生パワー制御部１０は、等化量算出部（算出手段）３１、減算器３２、乗算器３３、加算器３４、レジスタ３５、Ｄ／Ａ変換器３６およびレーザ駆動電流制御回路３７が接続されて構成されている。
【００７８】
等化量算出部３１は、適応等化器９から入力された等化量データである等化係数から等化量を算出するものであり、加算器３８、乗算器３９、加算器４０および割り算器４１を備えている。
【００７９】
まず、適応等化器９から等化係数が加算器３８に入力されると、加算器３８には、加算器３８に入力された各等化係数をすべて加算し、等化係数の総和を演算して割り算器４１に入力する。この等化係数の総和は、適応等化器９から常に＋１入力されたときの出力値を表しているため、直流ゲインを演算するのと等価となる。
【００８０】
また、等化係数は、適応等化器９から乗算器３９にも入力される。乗算器３９は、入力された等化係数に−１を乗ずる。加算器４０は、乗算器３９の出力と、他の等化係数（乗算器３９を介さないで適応等化器９から入力された等化係数）との総和を演算し、割り算器４１に入力する。これは、適応等化器９からの入力として、＋１と−１との繰り返しが入力されたときの出力値を表している。即ち、サンプリングクロックの半分の周波数（クロック周波数の１／２）に対するゲイン（高域のゲイン）と等価となる。
【００８１】
そして、割り算器４１は、加算器３８と加算器４０との比（直流に対する高域のゲインの割合）を演算し、減算器３２に入力する。即ち、等化量算出部３１は、直流に対する高域のゲイン、即ち、等化量を出力することとなる。
【００８２】
減算器３２は、予め設定されている最適等化量から、割り算器４１からの入力を減算する。ここで、最適等化量とは、適応等化器９の係数レジスタ２５（図２参照）に格納されている最適等化係数（初期値）を用いた場合の、直流に対する高域のゲインである。
【００８３】
従って、減算器３２における演算結果がマイナスとなる場合、所望のインパルス応答にするための等化係数は、最適等化係数よりも高域のゲインが大きいことを示している。即ち、レーザパワー（レーザビームの再生パワー）が最適値よりも大きく、検出口が大きくなりすぎており、直流に比べて高域の振幅が小さい。このため、レーザパワーを下げる必要がある。
【００８４】
一方、減算器３２における演算結果がプラスとなる場合、所望のインパルス応答にするための等化係数は、最適等化係数よりも高域のゲインが小さいことを示している。即ち、レーザパワーが最適値よりも小さく、アパーチャが小さくなりすぎており、直流に比べて高域の振幅が大きい。従って、レーザパワーを上げる必要がある。
【００８５】
減算器３２の出力は、乗算器３３において所定のゲインβと乗算される。この乗算された結果は、加算器３４においてレジスタ３５に格納されている値に加算され、レジスタ３５に格納される。こうして、レジスタ３５に格納される値が更新される。
【００８６】
レジスタ３５から、Ｄ／Ａ変換器３６に入力された値はアナログ値に変換され、レーザ駆動電流制御回路３７に入力される。
【００８７】
レーザ駆動電流制御回路３７は、オペアンプ４２とトランジスタＴＲ１と抵抗Ｒ１とで構成される定電流回路と、トランジスタＴＲ２とトランジスタＴＲ３とで構成されるカレントミラー回路４３とを備えている。
【００８８】
そして、定電流回路に入力された再生パワー制御のためのアナログの信号は、カレントミラー回路４３において半導体レーザ駆動電流に変換される。
【００８９】
こうして、半導体レーザ４４の再生パワーは、上述した減算器３２の演算結果に応じて、半導体レーザ駆動電流により制御される。
【００９０】
以上のように、再生パワー制御部１０が、等化係数から等化量を算出する等化量算出部３１を備えていることが好ましい。
【００９１】
これにより、例えば、算出された等化量と、予め設定された所定の値（最適等化量）とを比較することにより、現在の再生パワーと最適再生パワーとの誤差を検出することができる。
【００９２】
従って、等化量が常に最適等化量と等しくなるようにレーザビームのパワーを制御することができ、これにより適切に再生パワーを制御することができる。
【００９３】
また、適応等化器９から出力される等化係数から等化量を算出することにより、少ないハード量で等化量をハードウェア実装することができる。
【００９４】
〔実施の形態２〕
本発明の第２の実施の形態について図４ないし図６に基づいて説明すれば、以下の通りである。なお、実施の形態１における構成要素と同等の機能を有する構成要素については、同一の符号を付記してその説明を省略する。
【００９５】
図４は、本発明の他の実施の一形態である記録再生装置の要部の構成を示すブロック図である。本実施の形態に係る半導体装置は、図４に示すように、実施の形態１と同様、スピンドルモータ２、光ピックアップ装置３、前処理回路４、クロック生成部５、Ａ／Ｄ変換器８およびビタビ復号器１１を備えており、ディスク１に対して情報を記録・再生する。
【００９６】
また、実施の形態１の適応等化器９および再生パワー制御部１０のかわりに、等化器５１および再生パワー制御部（再生パワー制御手段）５２を備えている。等化器５１（等化手段）および再生パワー制御部５２からなる再生パワー制御装置では、デジタル再生信号の適応等化は行わず（随時等化量（等化係数）の更新は行わず）、等化誤差を用いて（等化係数更新データ（誤差）に基づいて）再生パワー制御を行う。
【００９７】
等化器５１は、図５に示すように、図２に示す適応等化器９において係数更新加算器２９を省略した構成である。このため、係数更新乗算器２８からの出力は、そのまま等化係数更新データ（等化係数の更新量）として再生パワー制御部５２に入力される。
【００９８】
ここで、等化係数更新データとは、予め設定されている等化係数による等化量で目標とするインパルス応答を実現するためには、等化量をどのように制御すればいいのかというデータのことをいう。即ち、等化係数更新データでは、等化量初期値（予め設定されている所定の等化係数による等化量）で現在のデジタル再生信号を等化した場合、等化量を大きくすればいいのか、あるいは、小さくすればいいのかを示している。
【００９９】
このような等化係数更新データが再生パワー制御部５２に入力されると、再生パワー制御部５２では、等化係数更新データに基づいて半導体レーザのパワー（再生パワー）の制御を行う。
【０１００】
例えば、等化係数更新データが等化量を大きくしなければならないことを示す場合、再生パワー制御部５２は、再生パワーを小さくするように処理を行う。一方、等化係数更新データが等化量を小さくしなければならないことを示す場合、再生パワー制御部５２は、再生パワーを大きくするように処理を行う。
【０１０１】
以上のように、レーザビームを照射することによりディスク１から得られるデジタル再生信号を等化し、該等化結果の周波数特性と所定の周波数特性との誤差を検出する等化器５１と、上記誤差に基づいて、現在の再生パワーと最適再生パワーとの誤差を検出し、該誤差が０に近づくようにレーザビームの再生パワーを制御する再生パワー制御部５２とを備えている。
【０１０２】
これにより、所定の等化係数初期値（最適等化係数、即ち最適等化量）で、所望のインパルス応答が得られるようにレーザビームのパワーを制御することができる。この結果、適切に再生パワーを制御することができる。
【０１０３】
従って、例えば、ディスク１上に、長マークや短マークなど、再生パワー制御のためのマークを記録した特別な領域を設けなくても再生パワーの制御を行うことができる。これにより、ディスク１上のユーザ領域（ユーザが情報の記録・再生を行う領域）を減少させることなく、再生パワー制御を行うことができる。
【０１０４】
以下、等化器５１の構成について図５に基づいて説明する。
【０１０５】
等化器５１は、適応等化器９と同様、ＬＭＳアルゴリズムを用いたＦＩＲ型適応等化器である。等化器５１は、ＬＭＳアルゴリズムを用いて等化係数更新データを演算（更新量演算処理）するものであるが、適応等化器９とは異なり、等化係数そのものは更新しない。
【０１０６】
例えば、超解像光磁気ディスクの場合、レーザビームスポットの再生パワーによって、検出口の大きさがかわる。このとき、孤立した記録マークの再生波形（インパルス応答）も変化する。このため、等化器５１出力のインパルス応答が所望のインパルス応答ではない場合、再生パワーを最適に制御すれば所望のインパルス応答になるのであれば、等化係数そのものを更新しなくても、等化係数はデフォルト値のまま固定して、等化係数更新データ（等化係数の更新量）を用いることで、再生パワーを制御することができる。
【０１０７】
即ち、適応等化器９と同様に等化器５１を３タップの等化回路とすると、乗算器２２において、Ｘ0 （ｋ），Ｘ1 （ｋ），Ｘ2 （ｋ）と乗算される等化係数Ｃ0 （ｋ），Ｃ1 （ｋ），Ｃ2 （ｋ）が、係数レジスタ２５において更新されることはない。
【０１０８】
係数レジスタ２５には、予め最適等化量を実現するための等化係数が設定されている。ここで、最適等化量とは、上述したように、予め最適な再生パワーにおける最適な等化量を実測して決定されたものである。
【０１０９】
即ち、等化器５１は、固定タップ係数を有するＦＩＲフィルタであり、かつ、ＬＭＳアルゴリズムを用いて各等化係数の更新量を演算する。これにより、デジタル再生信号を等化し、該等化結果の周波数特性と所定の周波数特性との誤差を検出することができる。
【０１１０】
まず、デジタル再生信号は、レジスタ２１…からなるシフトレジスタに入力される。シフトレジスタの各タップ出力は、乗算器２２において係数レジスタ２５の係数（等化係数）と乗算される。
【０１１１】
そして、このタップ出力と係数レジスタ２５の係数との乗算結果は、加算器２３においてすべて加算され、等化後再生信号としてビタビ復号器１１（図４参照）に出力される。
【０１１２】
また、ビタビ復号器１１において、復号された２値の復号データは、目標インパルス応答フィルタ２６に入力される。
【０１１３】
目標インパルス応答フィルタ２６からの出力は、減算器２４において、加算器２３から出力された等化後再生信号から減算され、等化誤差ｅ（ｋ）として出力される。
【０１１４】
等化誤差ｅ（ｋ）は、更新ゲイン乗算器２７において係数更新ゲインαと乗算される。この乗算されたα・ｅ（ｋ）は、係数更新乗算器２８に入力されシフトレジスタのタップ出力と乗算され、等化係数更新データとして再生パワー制御部５２に入力される。
【０１１５】
このように、等化係数を更新しなくても、現在の再生パワーと最適再生パワーとの誤差がわかれば最適再生パワーの制御を行うことができるため、等化係数更新データを用いることによって再生パワーを制御することができる。
【０１１６】
次に、再生パワー制御部５２の構成について、図６に基づいて説明する。
【０１１７】
再生パワー制御部５２は、最適等化量算出部６１、更新加算等化量算出部（等化量算出手段）６７、減算器３２、乗算器３３、加算器３４、レジスタ３５、Ｄ／Ａ変換器３６およびレーザ駆動電流制御回路３７を備えている。
【０１１８】
最適等化量算出部６１は、等化量算出部３１と同様の構成であり、予め設定されている最適等化係数（等化係数初期値）から最適等化量（等化量初期値）を算出するものであり、加算器６２、乗算器６３、加算器６４および割り算器６５を備えている。ここで、加算器６２、乗算器６３、加算器６４および割り算器６５は、各々、図３に示す加算器３８、乗算器３９、加算器４０および割り算器４１に対応する。
【０１１９】
更新加算等化量算出部６７は、ＬＰＦ６８…、加算器６９…および等化量算出部７０を備えている。
【０１２０】
等化量算出部７０は、等化器５１から出力された等化係数更新データから、ＬＰＦ６８および加算器６９を介して等化量を算出（等化量算出処理）するものである。また、等化量算出部７０は等化量算出部３１と同様の構成であり、加算器７１、乗算器７２、加算器７３および割り算器７４を備えている。ここで、加算器７１、乗算器７２、加算器７３および割り算器７４は、各々、図３に示す加算器３８、乗算器３９、加算器４０および割り算器４１に対応する。
【０１２１】
ＬＰＦ６８は、各等化係数更新データを平滑化してノイズを除去する。ＬＰＦ６８からの出力は加算器６９に入力され、最適等化係数と加算される。この加算結果は、加算器７１に入力され、等化量算出部７０において等化量を算出するのに用いられる。
【０１２２】
減算器３２は、最適等化量算出部６１において算出された最適等化量から、割り算器７４からの入力を減算する。この後の処理については、実施の形態１に記載した図３に示す処理と同様である。
【０１２３】
なお、最適等化量を最適等化係数から算出する構成ではなく、予め、最適等化量を設定しておく構成としてもかまわない。
【０１２４】
【発明の効果】
以上のように、本発明の再生パワー制御装置は、光ビームを記録媒体に照射することにより記録情報を読み出す記録再生装置に用いられ、光ビームの再生パワーを制御する再生パワー制御装置であって、光ビームを照射することにより記録媒体から得られる上記記録情報に対応した再生信号を、所定の周波数特性に適応的に等化する適応等化手段と、上記所定の周波数特性に適応的に等化する際に、該所定の周波数特性となるように更新される等化量に基づいて、現在の再生パワーと最適再生パワーとの誤差を検出し、該誤差が０に近づくように光ビームの再生パワーを制御する再生パワー制御手段とを備えている構成である。
【０１２５】
これにより、例えば、記録媒体上に、長マークや短マークなど、再生パワー制御のためのマークを記録した特別な領域を設けなくてもよい。従って、記憶媒体上のユーザ領域（ユーザが情報の記録・再生を行う領域）を減少させることなく、再生パワー制御を行うことができるといった効果を奏する。
【０１２６】
本発明の再生パワー制御装置は、適応等化手段が、ＬＭＳアルゴリズムを用いたＦＩＲフィルタであり、等化係数を出力する構成である。
【０１２７】
これにより、現在の再生パワーで所望のインパルス応答が得られるように等化係数を随時更新することができる。従って、この更新された等化係数を用いて、逐次再生パワーの制御を行うことができる。この結果、最適に再生パワーの制御を制御することができるといった効果を奏する。
【０１２８】
本発明の再生パワー制御装置は、再生パワー制御手段が、等化係数から等化量を算出する算出手段を備えている構成である。
【０１２９】
これにより、等化量が常に最適等化量と等しくなるように光ビームのパワーを制御することができ、従って、適切に再生パワーを制御することができる。また、適応等化手段から出力される等化係数から等化量を算出することにより、少ないハード量で等化量をハードウェア実装することができるといった効果を奏する。
【０１３０】
本発明の再生パワー制御装置は、光ビームを記録媒体に照射することにより記録情報を読み出す記録再生装置に用いられ、光ビームの再生パワーを制御する再生パワー制御装置であって、光ビームを照射することにより記録媒体から得られる上記記録情報に対応した再生信号を等化し、該等化結果の周波数特性と所定の周波数特性との誤差を、上記再生信号を所定の周波数特性に適応的に等化するために必要となる等化制御量に基づいて検出する等化手段と、上記誤差に基づいて、現在の再生パワーと最適再生パワーとの誤差を検出し、該誤差が０に近づくように光ビームの再生パワーを制御する再生パワー制御手段とを備えている構成である。
【０１３１】
これにより、誤差に基づいて光ビームの再生パワーを制御することができる。即ち、所定の等化量初期値で、所望のインパルス応答が得られるように光ビームのパワーを制御することができる。従って、記憶媒体上のユーザ領域を減少させることなく、再生パワー制御を行うことができるといった効果を奏する。
【０１３２】
本発明の再生パワー制御装置は、等化手段が、固定タップ係数を有するＦＩＲフィルタであり、かつ、ＬＭＳアルゴリズムを用いて各等化係数の更新量を演算することにより誤差を検出する構成である。
【０１３３】
これにより、所定の等化係数を用いて上記誤差を検出する。従って、等化係数そのものは更新しないで、演算した等化係数の更新量を用いて再生パワーの制御を行うことができるといった効果を奏する。
【０１３４】
本発明の再生パワー制御装置は、再生パワー制御手段が、等化係数の更新量から等化量を算出する等化量算出手段を備えている構成である。
【０１３５】
これにより、等化量が常に最適等化量と等しくなるように光ビームのパワーを制御することができ、従って、適切に再生パワーを制御することができる。また、等化手段で演算される等化係数の更新量から等化量を算出することにより、少ないハード量で等化量をハードウェア実装することができるといった効果を奏する。
【０１３６】
本発明の再生パワー制御方法は、光ビームを記録媒体に照射して得られる再生信号を適応等化する際に用いられ、かつ、適応等化によって更新される等化係数から等化量を算出する等化量算出処理と、該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有する構成である。
【０１３７】
これにより光ビームの再生パワーを制御することができる。従って、記憶媒体上のユーザ領域を減少させることなく、再生パワー制御を行うことができるといった効果を奏する。
【０１３８】
本発明の再生パワー制御方法は、光ビームを記録媒体に照射して得られる再生信号を等化する際に用いる所定の係数に基づいて、ＬＭＳアルゴリズムを用いて等化係数の更新量を演算する更新量演算処理と、該等化係数の更新量から等化量を算出する等化量算出処理と、該等化量と予め所定の値に設定された最適等化量とを比較することにより現在の再生パワーと最適再生パワーとを比較し、該比較結果に基づいて光ビームを出射する光源の駆動電流を制御する再生パワー変更処理とを有する構成である。
【０１３９】
これにより、記憶媒体上のユーザ領域を減少させることなく、再生パワー制御を行うことができるといった効果を奏する。
【０１４０】
本発明の記録再生装置は、光源と上記記載の再生パワー制御装置とを備え、該再生パワー制御装置を用いて光源から記録媒体に出射された光ビームの再生パワーを制御しながら、記録媒体に記録された情報を再生する構成である。
【０１４１】
これにより、最適に再生パワーを制御することができる再生パワー制御装置を備えることができ、従って、再生されるデータの信頼性が高い記録再生装置を提供することができるといった効果を奏する。
【図面の簡単な説明】
【図１】  本発明の実施の一形態に係る記録再生装置の構成を示すブロック図である。
【図２】  図１に示す記録再生装置に用いられる適応等化器の構成を示すブロック図である。
【図３】  図１に示す記録再生装置に用いられる再生パワー制御部の構成を示すブロック図である。
【図４】  本発明の他の実施の一形態に係る記録再生装置の構成を示すブロック図である。
【図５】  図４に示す記録再生装置に用いられる適応等化器の構成を示すブロック図である。
【図６】  図４に示す記録再生装置に用いられる再生パワー制御部の構成を示すブロック図である。
【符号の説明】
１    ディスク
３    光ピックアップ装置
４    前処理回路
５    クロック生成部
６    コンパレータ
７    ＰＬＬ回路
８    Ａ／Ｄ変換器
９    適応等化器（適応等化手段）
１０    再生パワー制御部（再生パワー制御手段）
１１    ビタビ復号器
２５    係数レジスタ
２６    目標インパルス応答フィルタ（ＦＩＲフィルタ）
２７    更新ゲイン乗算器
２８    係数更新乗算器
２９    係数更新加算器
３１    等化量算出部（算出手段）
３７    レーザ駆動電流制御回路
４４    半導体レーザ
５１    等化器（等化手段）
５２    再生パワー制御部（再生パワー制御手段）
６１    最適等化量算出部
６７    更新加算等化量算出部（等化量算出手段）
７０    等化量算出部
【図１】
0003871906.tif 000002
【図２】
0003871906.tif 000003
【図３】
0003871906.tif 000004
【図４】
0003871906.tif 000005
【図５】
0003871906.tif 000006
【図６】
0003871906.tif 000007